(57)【特許請求の範囲】
【請求項１】
戸枠に、引戸が開口部を開閉すべく移動自在に設けられ、戸枠及び引戸の一方には、係合手段が設けられ、他方には被係合手段が設けられ、前記係合手段は、引戸を閉じる方向に移動させることにより、前記被係合手段に係合する係止体と、該係止体を保持する本体と、移動手段とを備え、前記移動手段は、係止体の被係合手段への係合時に引戸を戸枠に当接すべく、被係合手段と一体的に連結された状態の係止体を引戸が閉じる方向に付勢し、前記本体に対して係止体を相対移動させることを特徴とする引戸の構造。
【請求項２】
前記係止体は、前記被係合手段に設けられたフック体が係合可能な嵌入凹部が形成され、しかも、係止体は、嵌入凹部にフック体が係合する係合姿勢と、引戸を開く方向に移動させることにより、係止体が、フック体により係合以前の位置まで移動され、且つ、フック体が嵌入凹部から離間する待機姿勢とに姿勢変更自在に設けられている請求項１に記載の引戸の構造。
【請求項３】
前記移動手段は、本体側に設けられた張力調整機構と係止体との間に連結されるスプリングからなり、係止体を相対移動させるスプリングの張力が調整可能に設けられている請求項１又は２に記載の引戸の構造。
【請求項４】
前記フック体が出退自在に調整可能である請求項２又は３に記載の引戸の構造。
【請求項５】
前記係止体には、該係止体から離脱したフック体が摺動する傾斜カム面が形成され、該傾斜カム面をフック体が摺動することにより前記嵌入凹部に係合するように、係止体は移動可能である請求項２、３又は４に記載の引戸の構造。
【請求項６】
前記戸枠に係合する引戸の上端に形成された凸条を切り欠いて切欠部を形成し、該切欠部に係合手段の本体が取り付けられ、該本体の上面は凸条の上面と略面一となっており、しかも、本体の幅は凸条の幅と略同等になっている請求項１乃至５のいずれかに記載の引戸の構造。
【請求項７】
前記引戸の上部に嵌合凹部を形成し、該嵌合凹部に本体を嵌合して取り付けることにより、本体が引戸の表面側及び裏面側に露出しないようにした請求項１乃至５のいずれかに記載の引戸の構造。
【請求項８】
戸枠及び該戸枠に移動自在に設けられる引戸の一方に取付られる係合手段と、他方に取付られる被係合手段とを備え、前記係合手段は、引戸を閉じる方向に移動させることにより、前記被係合手段に係合する係止体と、該係止体を保持する本体と、移動手段とを備え、前記移動手段は、係止体の被係合手段への係合時に引戸を戸枠に当接すべく、被係合手段と一体的に連結された状態の係止体を引戸が閉じる方向に付勢し、前記本体に対して係止体を相対移動させることを特徴とする引戸閉塞装置。
【発明の詳細な説明】
【０００１】
【発明の属する技術分野】
本発明は、部屋の出入り口やクロゼットの押し入れ等の開口部を閉塞するために使用される引戸の構造及び引戸閉塞装置に関する。
【０００２】
【従来の技術】
従来、例えば部屋等の出入口に取り付けられる引戸は、その出入り口を開閉すべく、戸枠に移動自在に設けられている。そして、引戸は、開閉動作が容易且つスムースに行えるように工夫されており、閉扉時には戸枠の縦枠に当接する構成である。
【０００３】
【発明が解決しようとする課題】
しかしながら、引戸を閉じる際に、仮に引戸が戸枠に勢い良く当接した場合には、そのときの衝撃で引戸がバウンドして逆戻りするため、引戸と戸枠との間に間隙が生じ、引戸を完全に閉じることができない問題がある。尚、かかる問題は、引戸がスムースに移動できる程、顕著になる傾向にある。
【０００４】
本発明は、引戸を勢い良く閉じた場合であっても、引戸が戸枠に対してバウンドして逆戻りすることなく、完全に閉じることができるようにすることを課題とする。
【０００５】
【課題を解決するための手段】
本発明が上記課題を解決するために講じた技術的手段は、戸枠に、引戸が開口部を開閉すべく移動自在に設けられ、戸枠及び引戸の一方には、係合手段が設けられ、他方には被係合手段が設けられ、前記係合手段は、引戸を閉じる方向に移動させることにより、前記被係合手段に係合する係止体と、該係止体を保持する本体と、移動手段とを備え、前記移動手段は、係止体の被係合手段への係合時に引戸を戸枠に当接すべく、被係合手段と一体的に連結された状態の係止体を引戸が閉じる方向に付勢し、前記本体に対して係止体を相対移動させることを特徴とする引戸の構造である。
【０００６】
そして、引戸を閉じる方向に移動させることにより、引戸が所定位置までくると、係合手段の係止体は被係合手段に係合する。このとき、移動手段は、係止体を本体に対して相対移動させるため、引戸は所定の速度で移動し、戸枠に当接する。
【０００７】
仮に、引戸は戸枠への当接時の衝撃によりバウンドしようとしても、被係合手段に係合手段が係合していると共に、移動手段は引戸を閉じる方向に付勢しているため、引戸はバウンドして逆戻りすることなく、確実に閉扉される。
【０００８】
また、前記係止体は、前記被係合手段に設けられたフック体が係合可能な嵌入凹部が形成され、しかも、係止体は、嵌入凹部にフック体が係合する係合姿勢と、引戸を開く方向に移動させることにより、係止体が、フック体により係合以前の位置まで移動され、且つ、フック体が嵌入凹部から離間する待機姿勢とに姿勢変更自在に設けられていることにある。
【０００９】
係止体を係合姿勢と待機姿勢とに姿勢変更自在に設けることにより、引戸を開閉させる動作のみで、係合部と被係合部の係脱を自動的に行える。
【００１０】
しかも、前記移動手段は、本体側に設けられた張力調整機構と係止体との間に連結されるスプリングからなり、係止体を相対移動させるスプリングの張力が調整可能に設けられているのが好ましい。
【００１１】
かかる張力調整機構でスプリングの張力を調整することにより、任意の引戸に応じて所望の移動速度を設定できる。
【００１２】
また、前記フック体が出退自在に調整可能であるのが好ましい。
【００１３】
更に、前記係止体には、該係止体から離脱したフック体が摺動する傾斜カム面が形成され、該傾斜カム面をフック体が摺動することにより前記嵌入凹部に係合するように、係止体は移動可能であるのが好ましい。
かかる場合には、係止体とフック体とが不用意に外れた場合であっても、引戸を閉じることにより、両者を容易に係合させることができる。
【００１４】
しかも、前記戸枠に係合する引戸の上端に形成された凸条を切り欠いて切欠部を形成し、該切欠部に係合手段の本体が取り付けられ、該本体の上面は凸条の上面と略面一となっており、しかも、本体の幅は凸条の幅と略同等になっているのが好ましく、かかる場合は、本体を凸条の一部として利用できる。
【００１５】
また、前記引戸の上部に嵌合凹部を形成し、該嵌合凹部に本体を嵌合して取り付けることにより、本体が引戸の表面側及び裏面側に露出しないようにすることにあり、かかる場合は、本体が露出しないため、外観体裁を損なうことがない。
【００１６】
引戸閉塞装置としての特徴は、戸枠及び該戸枠に移動自在に設けられる引戸の一方に取付られる係合手段と、他方に取付られる被係合手段とを備え、前記係合手段は、引戸を閉じる方向に移動させることにより、前記被係合手段に係合する係止体と、該係止体を保持する本体と、移動手段とを備え、前記移動手段は、係止体の被係合手段への係合時に引戸を戸枠に当接すべく、被係合手段と一体的に連結された状態の係止体を引戸が閉じる方向に付勢し、前記本体に対して係止体を相対移動させることにある。
【００１７】
【発明の実施の形態】
以下、本発明の一実施の形態について図面を参照しながら説明する。
図１〜図３において、１は例えば部屋等の出入り口３を形成する戸枠で、この戸枠１には、出入り口３を開閉すべく引戸５が移動自在に取り付けられている。
【００１８】
７は前記引戸５の上部で且つ閉扉時に当接する戸枠１の縦枠１ａ側に設けられた係合手段６と、該係合手段６に係脱自在に係合すべく戸枠１の角部に設けられた被係合手段９とから構成される引戸閉塞装置である。
【００１９】
前記係合手段６の引戸５への取り付け手段としては、図１１（ａ）に示す如く戸枠１に係合する引戸５の上端に形成された凸条５ａを切り欠いて切欠部１２を形成し、該切欠部１２に、係合手段６の本体８が、ボルト１３を介して凸条５ａに沿って取り付けられている。本体８の上面は、凸条５ａの上面と略面一となっており、しかも、本体８の幅Ｈは、凸条５ａの幅Ｈ１と略同等になっている。かかる場合には、本体８を凸条５ａの一部として利用できる利点がある。尚、本体８の上面と凸条５ａの上面が略面一で、本体８の幅Ｈは凸条５ａの幅Ｈ１と同等とは、本体８を凸条５ａの一部として利用できる範囲内での多少のクリアランスも含む概念である。
【００２０】
また、他の手段としては、同図（ｂ）に示す如く引戸５の上部に嵌合凹部１２ａを形成し、該嵌合凹部１２ａに本体８を嵌合して取り付けることにより、引戸５の表面側及び裏面側には本体８が露出しないようになっている。かかる場合には、本体８が露出しないため、外観体裁を損なうことがない。
【００２１】
本体８の幅方向（引戸５の表裏面方向）の中央部には、図４に示す如く上下面に開口する係止体移動開口１４が本体８の長手方向に形成されている。尚、係止体移動開口１４は、本体８の前側（引戸５の縁側）に設けられている。また、この係止体移動開口１４に連通するように、本体８の両側面１５ａ，１５ｂに貫通する案内開口１７が形成されている。
【００２２】
前記係止体移動開口１４内には、板状の係止体１９が摺動自在に嵌合されている。係止体１９の前後部には、一対のピン２０，２１が挿通され、前側のピン２０は、図６（ａ）に示す如く係止体１９の両側方に突出しており、その突出部２０ａ，２０ｂは、前記案内開口１７に挿通可能である。前記後側のピン２１は、一方側のみ係止体１９から突出している。
係止体１９の上部には、上面側が開口する略逆Ｕ字状の嵌入凹部２５を形成すべく、一対の凸部２６ａ，２６ｂが形成されている。また、前側の凸部２６ａの縁面は略直線状に傾斜する傾斜カム面２７が形成されている。
【００２３】
前記案内開口１７の前端部は、前記後側のピン２１が下方から係合するピン係合部２８と、前側のピン２０が上方から係合するピン係合部３０とがそれぞれ形成されている。従って、各ピン２０，２１がピン係合部２８，３０にそれぞれ係合した際には、係止体１９は、その嵌入凹部２５が前方に傾斜した状態（待機姿勢）となる。
【００２４】
また、前記本体８には、押圧手段としての板ばね３１の一端が固定され、他端側は上方に延設され前記ピン係合部２８に係合するピン２１を下方から押圧する。この結果、係止体１９は待機姿勢を確実に維持することができる。
【００２５】
前記ピン係合部２８と案内開口１７とは傾斜案内部３３により接続され、該傾斜案内部３３に沿ってピン２１が摺動自在になっている。係止体１９は、ピン２１が傾斜案内部３３を摺動することにより、前側のピン２０が上方に摺動するため、前記待機姿勢から嵌入凹部２５が上方向きとなる係合姿勢となる。
【００２６】
係止体１９は、係合姿勢を維持しながら所定位置まで後退可能であるが、本体８の両側面１５ａ，１５ｂには、係止体１９の後退位置において、係止体１９を待機姿勢方向に回動して移動するのを許容するための逃がし開口２９が下向きに形成されている。
【００２７】
係止体１９の後方位置には、該係止体１９を後方に移動させるための移動手段３５が設けられている。かかる移動手段３５は、図３及び図４に示す如く一端が前記前側のピン２０に連結された付勢手段としてのスプリング３７と、該スプリング３７の他端が連結された張力調整機構３８とからなる。張力調整機構３８は、前記本体８の後部に摺動自在に嵌合される摺動体４０を有する。摺動体４０を保持する構造としては、例えば、図６（ｂ）に示す如く本体８には、断面略Ｃ字状の収納部４２を形成し、該収納部４２に摺動体４０を嵌入する。
【００２８】
本体８の前記収納部４２を形成する上向凸条４３には、凹凸状のストッパー部４５が形成されている。前記摺動体４０には、ストッパー部４５に後方から係止するストッパー体４７が枢支軸４８により取り付けられている。このストッパー体４７は、前方に回転させることにより、ストッパー部４５から離脱させることができるが、ストッパー部４５に係合した状態では、後面が摺動体４０の段差部５０に当接するため、後方に回動することはない。尚、５２はストッパー体４７を回動させるための突起で、操作できるようにストッパー体４７から露出する裏面側に突設されている。
【００２９】
前記被係合手段９は、図５に示す如くボルト５７により、戸枠１の上縁下面に取り付けられる本体５５を備えている。本体５５には、フック体５９が収納される収納部６０が形成されている。フック体５９は、先端側に下向きのフック部６１を有し、且つ、基部側はピン６２により本体５５に枢支されている。従って、フック体５９は、ピン６２を支点にして上下方向に揺動自在になっている。
【００３０】
フック体５９のフック部６１とピン６２との間の部分は、スプリング６４により上方に付勢されている。また、フック体５９の基部は、本体５５に上下方向に出退自在に螺合された調整ボルト６５の上端が当接しており、この調整ボルト６５を出退させることにより、フック体５９を揺動させてフック部６１を上下に出退調整することができる。尚、被係合手段９の本体５５は、図６（ａ）に示す如く断面略Ｔ字状を呈しており、下方への突出部分５５ａは、前記係合手段６の本体８の上面及び前方に開口する逃がし開口溝６７内に収納される。
【００３１】
本実施の形態の引戸の構造は、以上の構成からなり、次にその動作について説明する。
先ず、張力調整機構３８により、係止体１９の張力を調整をする場合について説明する。かかる張力調整機構３８のストッパー体４７を前方に回動させると、ストッパー体４７と本体８のストッパー部４５との係合を解除できるため、摺動体４０の移動を自由に行える。摺動体４０を所定の位置まで移動させた後に、ストッパー体４７をストッパー部４５に係合させると、摺動体４０は固定され、スプリング３７は所定の張力で係止体１９を引っ張る。
【００３２】
次に、引戸５を開閉する場合について説明する。
引戸５が開放されている場合には、前記係止体１９は待機位置にある。そして、引戸５を閉じるべく移動させ、引戸５が戸枠１の縦枠１ａに接近すると（図８（ａ）参照）、待機位置にある係止体１９の後側の凸部２６ｂは、フック体５９のフック部６１に当接する（図７（ａ）及び図８（ｂ）参照）。ここで、係止体１９は傾斜して前側の凸部２６ａは低くなっているため、フック体５９のフック部６１は、この凸部２６ａに当接することはない。
【００３３】
更に、引戸５を移動させると、フック体５９のフック部６１が、係止体１９の凸部２６ｂを押圧するため、係止体１９の後側のピン２１は、板ばね３１の弾性力に抗して本体８の傾斜案内部３３を下方に摺動すると共に、前側のピン２０はピン係合部３０から外れて上昇する。このため、係止体１９は反時計方向（左方向）に回動する（図７（ｂ）参照）。
【００３４】
引戸５の移動に伴って、後側のピン２１が傾斜案内部３３を通過して水平の案内開口部１７に入るため、係止体１９は係合姿勢となり、嵌入凹部２５に、フック体５９のフック部６１が上方から入り込み、係止体１９とフック体５９とは、一体的に連結された状態となる（図７（ｃ）参照）。スプリング３７は係止体１９を後方側に引き寄せようとするが、係止体１９とフック体５９とは連結されているため、係止体１９に対して本体８が相対的に移動することとなる。
【００３５】
この結果、スプリング３７の弾性力により、引戸５は所定の速度で移動して戸枠１の縦枠１ａに当接し、出入り口の閉塞が終了する（図９（ａ）及び（ｂ）参照）。係止体１９とフック体５９とは互いに係合しており、しかも、引戸５を閉じる方向に付勢されているため、一旦閉じられた引戸５が戸枠１に当接した際の衝撃でバウンドして開いてしまうことはない。
【００３６】
次に、閉扉された引戸５を開放すべく前記とは反対方向に移動させると、係止体１９は、フック体５９と係合された状態であるため、本体８はスプリング３７を伸長させながら引戸５と共に移動する。この結果、係止体１９の両方のピン２０，２１は案内開口部１７を摺動し、更に後側のピン２１が板ばね３１に抗して前記傾斜案内部３３を上方に摺動してピン係合部２８に係合する。また、前側のピン２０は下方に摺動してピン係合部３０に係合するため、係止体１９は右方向に回動し待機姿勢に姿勢変更する。
【００３７】
更に引戸５の移動により、フック体５９のフック部６１は係止体１９の嵌入凹部２５から離脱可能となり、係止体１９とフック体５９の係合が解除され、係止体１９は自動的に待機姿勢が維持されることとなる。
【００３８】
また、引戸５を開放する方向に移動させる際に、仮にフック体５９のフック部６１が係止体１９の嵌入凹部２５から不用意に離脱した場合には、係止体１９は、スプリング３７の弾性力により、係合姿勢の状態で所定の位置まで移動してしまう。
【００３９】
かかる場合には、再び引戸５を閉塞することにより、係止体１９の前側の凸部２６ａに形成された傾斜カム面２７がフック体５９のフック部６１に当接する（図１０（ａ）参照）。更に、引戸５を移動させると、フック体５９のフック部６１は係止体１９の傾斜カム面２７上を摺動するため、係止体１９は右方向に押圧される。このとき、係止体１９の前側のピン２０は逃がし開口２９内に移動することとなり、係止体１９は右側に回動する（図１０（ｂ）参照）。
【００４０】
更に、フック体５９のフック部６１は、係止体１９の前側の凸部２６ａを通過すると、嵌入凹部２５に入り、後側の凸部２６ｂを押圧するため、係止体１９はフック体５９に係合した状態で係合姿勢に復元される。
【００４１】
尚、本発明は上記実施の形態に限定されるものではなく、例えば、フック体５９のフック部６１を出退させる構成としては、ボルト体からなるフック体を直接戸枠に出退自在に螺合させた構成であっても良い。かかる場合には、ボルト体自体が被係合手段となる。また、フック部６１は、係止体１９との係合状態が良好である限り、必ずしも出退調整できる構成にする必要はなく、被係合手段９の本体５５と一体的に形成するようにしても良い。
【００４２】
また、図１２に示すごとく、引戸５側に被係合手段９を設け、戸枠１側に係合手段６を設けることも可能である。
【００４３】
また、張力調整機構３８の摺動体４０を保持する構造としては、本体８の長手方向にガイド棒を設け、該ガイド棒を摺動体４０に挿通し、ガイド棒に沿って摺動体４０を移動させるようにしても良い。
【００４４】
更に、引戸５の種類や用途も特に限定されるものではなく、引戸５を複数枚から構成し、左右両方から開閉できる場合には、各引戸５に係合手段６を設けることも可能である。
【００４５】
【発明の効果】
以上のように、本発明は、戸枠に、引戸が開口部を開閉すべく移動自在に設けられ、戸枠及び引戸の一方には、係合手段が設けられ、他方には被係合手段が設けられ、前記係合手段は、引戸を閉じる方向に移動させることにより、前記被係合手段に係合する係止体と、該係止体を保持する本体と、該係止体の被係合手段への係合時に引戸を閉じる方向に付勢すべく、前記本体に対して係止体を相対移動させる移動手段とを備えているので、引戸を勢い良く閉じた場合であっても、引戸が戸枠にバウンドして逆戻りすることなく、完全に閉じることができる。
【００４６】
更に、前記係止体は、前記被係合手段に設けられたフック体が係合可能な嵌入凹部が形成され、しかも、係止体は、嵌入凹部にフック体が係合する係合姿勢と、引戸を開く方向に移動させることにより、係止体が、フック体により係合以前の位置まで移動され、且つ、フック体が嵌入凹部から離間する待機姿勢とに姿勢変更自在に設けられている場合には、引戸を開閉させる動作のみで、係止体を係合姿勢と待機姿勢とに姿勢変更できることとなり、係合部と被係合部の係脱を自動的に行える。
【００４７】
前記移動手段は、本体側に設けられた張力調整機構と係止体との間に連結されるスプリングからなり、係止体を相対移動させるスプリングの張力が調整可能に設けられている場合には、張力調整機構でスプリングの張力を調整することにより、任意の引戸に応じて所望の移動速度を設定できる利点がある。
【００４８】
しかも、フック体が出退自在に調整可能である場合には、引戸の上面と戸枠との間に多少の間隙が生じていても、フック体と係止体との係脱が良好となり、引戸の開閉を確実に行える。
【００４９】
前記係止体には、該係止体から離脱したフック体が摺動する傾斜カム面が形成され、該傾斜カム面をフック体が摺動することにより前記嵌入凹部に係合するように、係止体は移動可能である場合には、係止体とフック体とが不用意に外れた場合であっても、引戸を閉じることにより、両者を容易に係合させることができる利点がある。
【００５０】
前記戸枠に係合する引戸の上端に形成された凸条を切り欠いて切欠部を形成し、該切欠部に係合手段の本体が取り付けられ、該本体の上面は凸条の上面と略面一となっており、しかも、本体の幅は凸条の幅と略同等になっている場合には、本体を凸条の一部として利用できる利点がある。
【００５１】
また、前記引戸の上部に嵌合凹部を形成し、該嵌合凹部に本体を嵌合して取り付けることにより、本体が引戸の表面側及び裏面側に露出しないようにする場合には、本体が露出しないため、外観体裁を損なうことがない。
【図面の簡単な説明】
【図１】  本発明の一実施の形態を示す引戸を閉塞した状態の断面正面図である。
【図２】  同引戸を開放した状態の断面正面図である。
【図３】  同引戸を開放した状態の断面裏面図である。
【図４】  係合手段を示し、（ａ）は平面図、（ｂ）は断面平面図である。
【図５】  本発明の一実施の形態を示す被係合手段の断面正面図である。
【図６】  （ａ）係合手段と被係合手段とが係合した状態を示す断面側面図、（ｂ）は係合手段の断面側面図である。
【図７】  係合手段と被係合手段が係合する状態をそれぞれ示し、（ａ）は待機位置にある係止体とフック体とが係合する直前の正面図、（ｂ）は係止体が姿勢変更する状態の正面図、（ｃ）は係止体が係合姿勢にある状態の正面図である。
【図８】  （ａ）及び（ｂ）は引戸を閉じる状態をそれぞれ示す一部破断を含む正面図である。
【図９】  （ａ）及び（ｂ）は引戸を閉じる状態をそれぞれ示す一部破断を含む正面図である。
【図１０】  離脱した係止体を被係手段に係合させる状態を示し、（ａ）はフック体で係止体を回転させる要部正面図、（ｂ）は係止体を係合姿勢に復元させる要部正面図、（ｃ）はフック体と係止体とが係合する要部正面図である。
【図１１】  （ａ）及び（ｂ）は係合手段の引戸への取り付け手段をそれぞれ示す斜視図である。
【図１２】  他の実施の形態を示し、（ａ）は引戸を閉じる直前の断面正面図、（ｂ）は引戸を閉じた状態の断面正面図である。
【符号の説明】
１    戸枠
３    出入口（開口部）
５    引戸
５ａ  凸条
６    係合手段
８    本体
９    被係合手段
１２    切欠部
１９    係止体
２５    嵌入凹部
３５    移動手段
３７    スプリング（付勢手段）
３８    張力調整機構
Ｈ    本体の幅
Ｈ１    凸条の幅
【図１】
0003929163.tif 000002
【図２】
0003929163.tif 000003
【図３】
0003929163.tif 000004
【図４】
0003929163.tif 000005
【図５】
0003929163.tif 000006
【図６】
0003929163.tif 000007
【図７】
0003929163.tif 000008
【図８】
0003929163.tif 000009
【図９】
0003929163.tif 000010
【図１０】
0003929163.tif 000011
【図１１】
0003929163.tif 000012
【図１２】
0003929163.tif 000013